(57)【要約】【課題】媒体挿入部からシート状媒体を送り出すための媒体送り出し通路の開閉機構を広い設置スペースを必要とすることなく少ない部品点数で構成すること。【解決手段】小切手送り出し装置９の紙押さえ部材２６と開閉レバー２７は、第１垂直支軸３２、第２垂直支軸３３を中心として水平方向に旋回可能となっている。紙押さえ部材２６を旋回させて繰り出しローラー２５に押し付けると、紙押さえ部材２６によって開閉レバー２７の後端部２７ｂが押圧され、開閉レバー２７が旋回して、その前端部２７ａが小切手送り出し通路２３内から後退する。開閉レバー２７は、前端部２７ａを小切手送り出し通路２３内に進入させる旋回方向に付勢されているので、紙押さえ部材２６が繰り出しローラー２５を押圧しない位置に戻ると、この付勢方向に旋回し、前端部２７ａによって小切手送り出し通路２３を閉鎖する位置に戻る。【選択図】図５
2010195510.tif 000002
【特許請求の範囲】
【請求項１】
シート状媒体が挿入される媒体挿入部と、
当該媒体挿入部から前記シート状媒体が送り込まれる媒体送り出し通路と、
前記媒体挿入部から前記媒体送り出し通路に向けて前記シート状媒体を送り出す繰り出しローラーと、
当該繰り出しローラーの外周面に前記シート状媒体を押し付ける押し付け位置と、前記外周面から離れて退避している退避位置と、に移動可能な押し付け部材と、
前記媒体送り出し通路内に進出する閉鎖位置と、前記媒体送り出し通路内から退避する開放位置と、に移動可能な開閉部材と、
前記閉鎖位置側あるいは前記開放位置側に前記開閉部材を付勢している付勢部材と、を有し、
前記押し付け部材は、
前記退避位置から前記押し付け位置に移動するときに、前記付勢部材の付勢力に逆らって前記開閉部材を前記開放位置に移動させるか、もしくは、前記押し付け位置から前記退避位置に移動するときに、前記付勢部材の付勢力に逆らって前記開閉部材を前記閉鎖位置に移動させることを特徴とする媒体送り出し装置。
【請求項２】
請求項１に記載の媒体送り出し装置において、
前記押し付け位置と前記退避位置に前記押し付け部材を移動させるための駆動部と、
前記媒体挿入部で前記シート状媒体を検出する検出器と、を有し、
前記媒体送り出し通路は、前記シート状媒体に記録された情報を読み取る読み取り位置を経由する媒体搬送路に前記シート状媒体を送り込むための通路であり、
前記媒体挿入部で前記検出器が前記シート状媒体を検出しないときには、前記駆動部は、前記退避位置に前記押し付け部材を移動させた状態で駆動停止しており、
前記媒体挿入部で前記検出器が前記シート状媒体を検出したときには、前記媒体挿入部に前記シート状媒体を検出したことに基づいて駆動開始した前記媒体搬送路の搬送機構に、当該搬送機構による搬送速度が定速になった後に前記シート状媒体を引き渡し可能なタイミングで前記駆動部を駆動開始して、前記押し付け位置に前記押し付け部材を移動させて前記繰り出しローラーによる搬送を開始させることを特徴とする媒体送り出し装置。
【請求項３】
請求項２に記載の媒体送り出し装置において、
前記媒体挿入部に前記シート状媒体が挿入されたときには、前記駆動部は、前記搬送機構の駆動源の駆動速度がほぼ定速になった後に駆動開始することを特徴とする媒体送り出し装置。
【請求項４】
請求項１ないし３のいずれかの項に記載の媒体送り出し装置において、
前記媒体送り出し通路は、前記シート状媒体を案内するために対向配置されている一対の対向壁面を備えており、
前記開閉部材は、一端が前記媒体送り出し通路を横切る方向に旋回可能な状態で支持されている開閉レバーであり、
前記付勢部材は、前記一対の対向壁面の一方に形成された開口から前記一端を前記媒体送り出し通路内に進出させる第１旋回方向に前記開閉レバーを付勢しているばね部材であり、
前記押し付け部材は、前記押し付け位置に移動するときに、前記開閉レバーの他端を押圧して前記第１旋回方向とは逆回りに前記旋回レバーを旋回させることを特徴とする媒体送り出し装置。
【請求項５】
請求項４に記載の媒体送り出し装置において、
前記押し付け部材は、前記開閉レバーと同一旋回面内で旋回するレバー部材であり、
当該レバー部材の前記第１旋回方向とは逆回りの旋回動作により、当該レバー部材の先端部分が前記繰り出しローラーに向かって移動すると共に、当該レバー部材の他の部分が、前記開閉レバーの前記他端を押圧して前記開閉レバーを前記第１旋回方向とは逆回りに旋回させることを特徴とする媒体送り出し装置。
【請求項６】
前記読み取り位置に前記シート状媒体の情報を読み取る読み取り装置を配置したもので、請求項１ないし５のうちのいずれかの項に記載の媒体送り出し装置を搭載したことを特徴とする媒体処理装置。
【発明の詳細な説明】
【技術分野】
【０００１】
本発明は、小切手、記録用紙などのシート状媒体を一枚ずつ送り出すために、小切手処理装置、プリンター、スキャナー、磁気読取装置などの媒体処理装置に搭載される媒体送り出し装置に関するものである。
【背景技術】
【０００２】
銀行などの金融機関においては、持ち込まれた小切手、手形などの小切手類（有価証券類）を小切手処理装置に掛けて、それらの表面画像および磁気インク文字を読み取り、読取結果に応じて小切手類の仕分け作業などを行っている。また、近年においては電子決済の普及に伴って、読み取った画像データ、磁気インク文字をコンピューター処理して、小切手類をコンピューターにより管理することも行われている。特許文献１には、このような小切手処理装置などにおいてシート状媒体を送り出すために用いられる媒体送り出し装置が開示されている。
【０００３】
特許文献１に開示の媒体送り出し装置では、小切手挿入部に挿入された多数枚の小切手を繰り出しローラーによって小切手送り出し通路に送り出し、小切手送り出し通路に配置されている媒体分離機構によって、送り出された小切手を一枚ずつに分離して小切手搬送路の側に順次に送り出す。小切手挿入部に小切手を挿入する際には、媒体分離機構に遮られて、媒体分離機構よりも下流側に深く入り込んだ状態で小切手が小切手挿入部にセットされてしまうことがない。したがって、小切手が媒体分離機構を経由した後に搬送路側の搬送ローラーに引き渡されるタイミングが早すぎて、定速回転状態に立ちあがる前の搬送ローラーによって小切手が不安定な送り速度で搬送されてしまうことがない。
【先行技術文献】
【特許文献】
【０００４】
【特許文献１】特開２００９−０１８８９２号公報
【発明の概要】
【発明が解決しようとする課題】
【０００５】
一方、小切手挿入部に一枚ずつ小切手を挿入して繰り出しローラーによって搬送路に向けて送り出す媒体送り出し装置の場合には、媒体分離機構が不要である。このため、小切手挿入部と小切手搬送路の間の小切手送り出し通路は常に開放状態にあるので、小切手挿入部に小切手を挿入した際に、小切手搬送路側に深く入り込んだ状態に小切手がセットされる危険性がある。そこで、小切手送り出し通路を封鎖して小切手搬送路側に深く入り込まないように小切手をセットできるようにし、小切手送り出し時には小切手送り出し通路を開放すればよい。
【０００６】
しかしながら、小切手挿入部、小切手送り出し通路には、繰り出しローラーおよびその駆動源、繰り出しローラーに小切手を押し付けるための押し付け部材およびその駆動源などが設けられている。これらの部品に加えて、小切手送り出し通路を開閉するための機構を組み込むと、そのための設置スペースを新たに確保する必要があるので装置寸法の大型化を招いてしまう。また、部品点数が増加して装置コストが増加してしまう。
【０００７】
本発明の課題は、このような点に鑑みて、媒体挿入部からシート状媒体を送り出すための媒体送り出し通路の開閉機構を広い設置スペースを必要とすることなく少ない部品点数で構成することができ、この開閉機構により、定速回転状態に立ちあがる前の搬送ローラーにシート状媒体を引き渡さないようにすることが可能な媒体送り出し装置を提案することにある。
【課題を解決するための手段】
【０００８】
上記の課題を解決するために、本発明の媒体送り出し装置は、
シート状媒体が挿入される媒体挿入部と、
当該媒体挿入部から前記シート状媒体が送り込まれる媒体送り出し通路と、
前記媒体挿入部から前記媒体送り出し通路に向けて前記シート状媒体を送り出す繰り出しローラーと、
当該繰り出しローラーの外周面に前記シート状媒体を押し付ける押し付け位置と、前記外周面から離れて退避している退避位置と、に移動可能な押し付け部材と、
前記媒体送り出し通路内に進出する閉鎖位置と、前記媒体送り出し通路内から退避する開放位置と、に移動可能な開閉部材と、
前記閉鎖位置側あるいは前記開放位置側に前記開閉部材を付勢している付勢部材と、を有し、
前記押し付け部材は、
前記退避位置から前記押し付け位置に移動するときに、前記付勢部材の付勢力に逆らって前記開閉部材を前記開放位置に移動させるか、もしくは、前記押し付け位置から前記退避位置に移動するときに、前記付勢部材の付勢力に逆らって前記開閉部材を前記閉鎖位置に移動させることを特徴としている。
【０００９】
本発明では、このように、媒体送り出し通路を開閉可能な開閉部材を設けたので、開閉部材が閉鎖位置にあるとき、シート状媒体が媒体挿入部から更に媒体送り出し通路の奥まで入り込んだ状態にセットされるのを防止できる。よって、媒体送り出し通路の先に続く搬送路の搬送機構にシート状媒体が引き渡されるまでの時間が想定よりも短くなるのを防止できる。また、繰り出しローラーにシート状媒体を押し付ける押し付け部材によって媒体送り出し通路を開閉する開閉部材を押圧移動させているので、開閉部材を作動させるために専用の駆動源を設ける必要がない。よって、部品点数の削減および装置コストの削減を図ることができる。
【００１０】
本発明において、前記押し付け位置と前記退避位置に前記押し付け部材を移動させるための駆動部と、前記媒体挿入部で前記シート状媒体を検出する検出器と、を有し、前記媒体送り出し通路は、前記シート状媒体に記録された情報を読み取る読み取り位置を経由する媒体搬送路に前記シート状媒体を送り込むための通路であり、前記媒体挿入部で前記検出器が前記シート状媒体を検出しないときには、前記駆動部は、前記退避位置に前記押し付け部材を移動させた状態で駆動停止しており、前記媒体挿入部で前記検出器が前記シート状媒体を検出したときには、前記媒体挿入部を検出したことに基づいて駆動開始した前記媒体搬送路の搬送機構に、当該搬送機構による搬送速度が定速になった後に前記シート状媒体を引き渡し可能なタイミングで前記駆動部を駆動開始して、前記押し付け位置に前記押し付け部材を移動させて前記繰り出しローラーによる搬送を開始させる構成にするとよい。例えば、前記媒体挿入部に前記シート状媒体が挿入されたときには、前記駆動部は、前記搬送機構の駆動源の駆動速度がほぼ定速になった後に駆動開始する構成にするとよい。
【００１１】
このように、媒体搬送路内の搬送機構がシート状媒体を定速で搬送可能な状態になってから当該搬送機構にシート状媒体が引き渡されるタイミングで繰り出しローラーによる搬送を開始させることができれば、定速になっていない搬送機構にシート状媒体が引き渡されて不安定な速度で搬送されることを防止できる。よって、下流側にある読み取り装置の読み取り不良の発生や読み取り精度の低下を抑制することができる。
【００１２】
ここで、前記媒体送り出し通路は、前記シート状媒体を案内するために対向配置されている一対の対向壁面を備えており、前記開閉部材は、一端が前記媒体送り出し通路を横切る旋回方向に旋回可能な状態で支持されている開閉レバーであり、前記付勢部材は、前記一対の対向壁面の一方に形成された開口から前記一端を前記媒体送り出し通路内に進出させる第１旋回方向に前記開閉レバーを付勢しているばね部材であり、前記押し付け部材は、前記押し付け位置に移動するときに、前記開閉レバーの他端を押圧して前記第１旋回方向とは逆回りに前記旋回レバーを旋回させるように構成することができる。このとき、前記押し付け部材は、前記開閉レバーと同一旋回面内で旋回するレバー部材であり、当該レバー部材の前記第１旋回方向とは逆回りの旋回動作により、当該レバー部材の先端部分が前記繰り出しローラーに向かって移動すると共に、当該レバー部材の他の部分が、前記開閉レバーの前記他端を押圧して前記開閉レバーを前記第１旋回方向とは逆回りに旋回させるように構成してもよい。
【００１３】
このように、旋回可能に取り付けた開閉レバーをばね部材で所定の旋回方向に付勢しておくことにより、押し付け部材によって開閉レバーが押圧されるときはこの押圧方向に開閉レバーを旋回させることができ、かつ、押し付け部材が後退したときには開閉レバーの付勢力によって開閉レバーを元の位置に戻すことができる。よって、押し付け部材の動きに連動させて開閉レバーを動かすことができる。
【００１４】
次に、本発明の媒体処理装置は、前記読み取り位置に前記シート状媒体の情報を読み取る読み取り装置を配置したものであり、上記の媒体送り出し装置を搭載したことを特徴としている。
【発明の効果】
【００１５】
本発明によれば、媒体送り出し通路を開閉可能な開閉部材を設けたので、シート状媒体が媒体送り出し通路から更に奥まで入り込んだ状態にセットされるのを防止でき、媒体送り出し通路の先に続く搬送路の搬送機構にシート状媒体が引き渡されるまでの時間が想定よりも短くなるのを防止できる。また、繰り出しローラーにシート状媒体を押し付ける押し付け部材によってこの開閉部材を押圧移動させているので、開閉部材を作動させるために専用の駆動源を設ける必要がない。よって、部品点数の削減および装置コストの削減を図ることができる。
【図面の簡単な説明】
【００１６】
【図１】本発明を適用した小切手処理装置の外観斜視図である。
【図２】図１の小切手処理装置の平面図である。
【図３】図１の小切手処理装置の制御系を示す概略ブロック図である。
【図４】図１の小切手処理装置の小切手処理動作の概略フローチャートである。
【図５】小切手送り出し装置の概略構成およびその動作を示す説明図である。
【図６】小切手の送り出し処理のフローチャートである。
【発明を実施するための形態】
【００１７】
以下に、図面を参照して、本発明を適用した小切手処理装置の実施の形態を説明する。
【００１８】
（全体構成）
図１は本実施の形態に係る小切手処理装置の外観斜視図であり、図２はその平面図である。小切手処理装置１（媒体処理装置）は、本体ケース２と、この上側に被せた蓋ケース３とを備えており、この内部に各部品が組み込まれた構成となっている。蓋ケース３には細幅の垂直溝からなる小切手４（シート状媒体）の搬送路５が形成されている。搬送路５は上から見た場合に全体としてＵ形状をしており、直線状の上流側搬送路部分６と、これに連続する湾曲状搬送路部分７と、これに連続する僅かに屈曲した下流側搬送路部分８とを備えている。
【００１９】
上流側搬送路部分６の上流側には小切手送り出し装置９（媒体送り出し装置）が配置されている。小切手送り出し装置９は広幅の垂直溝からなる小切手挿入部１０を備えており、この小切手挿入部１０に挿入された小切手４が一枚ずつ上流側搬送路部分６に送り出される。下流側搬送路部分８の下流端は、左右に分岐した分岐路１１ａ、１１ｂを介して、それぞれ広幅の垂直溝からなる第１および第２小切手排出部１２、１３に繋がっている。分岐路１１ａ、１１ｂの分岐点には切り替え板１１ｃが配置されており、この切り替え板１１ｃの向きを切り替えることにより小切手４が振り分けられる。小切手挿入部１０には、小切手４が挿入されたことを検出するための図示しないセンサーが配置されている。
【００２０】
図２に示すように、上流側搬送路部分６には、表面画像読取手段としての表面側スキャナー１４および裏面画像読取手段としての裏面側スキャナー１５が配置されている。裏面側スキャナー１５の下流側には、磁気インク文字読取用の磁気ヘッド１６が配置されている。また、下流側搬送路部分８には印刷機構１７が配置されている。印刷機構１７は、例えば、小切手４に押圧される印刷位置と、この印刷位置から後退した待機位置の間を、駆動モーター（図示せず）によって移動可能な構造のものである。
【００２１】
搬送路５には、小切手搬送制御のために各種のセンサーが配置されている。上流側搬送路部分６における上流側の位置には、送り出される小切手４の長さを検出するための用紙長検出器１１１が配置されている。磁気ヘッド１６の対向面には、小切手４が重なった状態で搬送されていることを検出するための重送検出器が配置されている。湾曲状搬送路部分７における下流側の位置にはジャム検出器１１３が配置されており、このジャム検出器１１３によって所定時間以上に亘って継続して小切手４が検出されている場合には、搬送路５に小切手が詰まった紙詰まり状態になったことが分かる。下流側搬送路部分８における中程の位置には、印刷機構１７によって印刷される小切手４の有無を検出するための印刷検出器１１４が配置されている。さらに、第１、第２小切手排出部１２、１３に分岐している分岐路１１ａ、１１ｂの分岐位置には、これらに排出される小切手を検出するための排出検出器１１５が配置されている。
【００２２】
（制御系）
図３は小切手処理装置１の制御系を示す概略ブロック図である。小切手処理装置１の制御系は、ＲＯＭ、ＲＡＭを備え、ＣＰＵを中心に構成された制御部１０１を有している。制御部１０１は通信ケーブル１０２を介して上位のコンピューターシステム１０３に接続される。コンピューターシステム１０３は表示器１０３ａ、キーボード、マウスなどの操作部１０３ｂなどの入出力機器を備えており、当該コンピューターシステム１０３の側から小切手読取動作の開始指令などが制御部１０１に入力される。
【００２３】
制御部１０１は、読取動作の開始指令を受け取ると、搬送路５に沿って配置した搬送ローラー（図示せず）を回転させるための搬送モーター１８を駆動すると共に、小切手送り出し装置９の駆動モーター３０と駆動モーター３１を駆動して、小切手挿入部１０から小切手４を一枚ずつ搬送路５に送り出させ、送り出された小切手４を搬送路５に沿って搬送させる。制御部１０１には、表面側スキャナー１４、裏面側スキャナー１５および磁気ヘッド１６によって読み取られた小切手４の表面画像情報、裏面画像情報および磁気インク文字情報が入力される。これらの情報は、コンピューターシステム１０３に供給され、画像処理、文字認識処理などが行われ、読取が正常に行われたか否かが判断され、判断結果が制御部１０１に供給される。制御部１０１は判断結果に基づき印刷機構１７および切り替え板１１ｃの駆動を制御する。
【００２４】
制御部１０１による小切手４の送り出し制御および搬送路５における搬送制御は、小切手挿入部１０に配置されている小切手検出用センサー１１２からの検出信号、および、搬送路５に配置されている用紙長検出器１１１、重送検出器、ジャム検出器１１３、印刷検出器１１４および排出検出器１１５などからの検出信号に基づき行われる。なお、制御部１０１には、本体ケース２に形成された電源スイッチなどの操作スイッチを含む操作部１０５が接続されている。
【００２５】
（小切手処理動作）
図４は小切手処理装置１の処理動作を示す概略フローチャートである。まず、操作者が上位のコンピューターシステム１０３の操作部１０３ｂからの操作入力、あるいは、操作部１０５からの手動操作入力によって読み取り開始指令を入力すると、小切手挿入部１０の小切手検出用センサー１１２により、小切手４が挿入されていることを検出するための判定を行い（ステップＳＴ１）、小切手４を検出した場合には、小切手挿入部１０から小切手４を搬送路５に送り出す送り出し動作を行う（ステップＳＴ２）。この小切手送り出し動作の詳しい制御については後述する。
【００２６】
送り出された小切手４は、搬送路５に沿って搬送される（ステップＳＴ３）。搬送される小切手４の表面画像および裏面画像、並びに磁気インク文字が、それぞれ、表面側スキャナー１４、裏面側スキャナー１５および磁気ヘッド１６によって読み取られる（ステップＳＴ４）。
【００２７】
読み取られた情報は、通信ケーブル１０２を介して上位のコンピューターシステム１０３に送信される（ステップＳＴ５）。コンピューターシステム１０３の側において読み取られた表面画像、裏面画像、および磁気インク文字情報を処理して、読取が正常に行われたか否かを判断する。小切手４が上下逆の状態で搬送された場合には、磁気インク文字を認識できないので、読取不良であると判断される。小切手４が表裏逆の状態で搬送された場合には、磁気インク文字情報が得られないので、読取不能であると判断される。また、小切手４が折れていたり、ちぎれていたり、搬送時にスキューするなどで、磁気インク文字の一部が読取不能の場合にも読取不良であると判断される。さらに、表裏の画像情報から、小切手４が折れていたり、ちぎれていたり、搬送時にスキューするなどで、金額情報などの所定の情報が認識できない場合などにおいても読取不良であると判断される。
【００２８】
正常な読取であると判断されている場合には、印刷機構１７を印刷位置に移動する（ステップＳＴ８、ＳＴ１０）。小切手４は印刷機構１７によって「電子決済済み」などの印刷が行われながら搬送され、切り替え板１１ｃによって第１小切手排出部１２の側に排出され、しかる後に搬送動作を終了する（ステップＳＴ１０、ＳＴ１１、ＳＴ１２）。
【００２９】
これに対して、読取不良、読取不能などの判断結果が出た場合には（ステップＳＴ８）、切り替え板１１ｃの切り替え動作を行う（ステップＳＴ１４）。印刷機構１７は待機位置に保持し、小切手４への印刷は行わない。小切手４は切り替え板１１ｃによって第２小切手排出部１３に振り分けられ、そこに排出され、しかる後に搬送動作を終了する（ステップＳＴ１４、ＳＴ１１、ＳＴ１２）。
【００３０】
（小切手送り出し装置）
図５（ａ）（ｂ）は小切手送り出し装置９の概略構成およびその動作を示す説明図である。小切手送り出し装置９の小切手挿入部１０（媒体挿入部）は、基本的に、左右一対の第１媒体ガイド面２１および第２媒体ガイド面２２と、底面２０とによって規定されている。第１媒体ガイド面２１は直線状の平坦な垂直面である。第２媒体ガイド面２２は、第１媒体ガイド面２１に一定の間隔で平行に配置されている平行ガイド面部分２２ａと、この平行ガイド面部分２２ａの前端から第１媒体ガイド面２１の側に向けて傾斜して延びている傾斜ガイド面部分２２ｂと、この傾斜ガイド面部分２２ｂの端から第１媒体ガイド面２１に対して狭い間隔で平行に対峙している送り出し側平行ガイド面部分２２ｃとを備えている。
【００３１】
第２媒体ガイド面２２の平行ガイド面部分２２ａと、これに対峙している第１媒体ガイド面２１の部分によって、小切手４を挿入するための広幅の小切手収納部分１０ａが規定されている。小切手収納部分１０ａにおける搬送方向前方側の部分は傾斜ガイド面部分２２ｂによって徐々に幅が狭まっており、送り出し側平行ガイド面部分２２ｃ（対向壁面）と、これに対峙している第１媒体ガイド面２１の部分（対向壁面）とによって規定されている一定幅の狭い小切手送り出し通路２３（媒体送り出し通路）に接続している。この小切手送り出し通路２３の先が搬送路５に繋がる小切手送り出し口２３ａとなっている。
【００３２】
図２、図５に示すように、小切手送り出し装置９は、小切手４を送り出すための繰り出しローラー２５と、小切手４を繰り出しローラー２５の側に押し付けるための紙押さえ部材２６（押し付け部材／レバー部材）と、当該紙押さえ部材２６の動作に連動して小切手収納部分１０ａから小切手送り出し通路２３への入り口を開閉する開閉レバー２７（開閉部材）を備えている。図２、図５においては、開閉レバー２７の輪郭を分かり易く表示するために当該開閉レバー２７に斜線を付して示してある。また、小切手送り出し装置９は、繰り出しローラー２５を回転駆動させる駆動モーター３０、および、紙押さえ部材２６を後述する押し付け位置Ａ１と退避位置Ａ２の間で作動させる駆動モーター３１（図３参照）を備えている。
【００３３】
繰り出しローラー２５は、第１媒体ガイド面２１に沿って配置されており、その外周面２５ａが、僅かに第１媒体ガイド面２１から小切手収納部分１０ａ内に突出した状態となっている。繰り出しローラー２５に対峙している第２媒体ガイド面２２の平行ガイド面部分２２ａには、開口部２２ｅ（図１参照）が形成されている。
【００３４】
紙押さえ部材２６は、小切手送り出し口２３ａの側方（図５における上側）に配置した第１垂直支軸３２を中心として、水平方向に旋回可能に取り付けられている。紙押さえ部材２６は、第１垂直支軸３２から小切手収納部分１０ａの入り口側（図５における左側）に向かって延びており、その先端部分２６ａの端辺に、繰り出しローラー２５側（図５における下側）に膨出する膨出部２６ｂが形成されている。この膨出部２６ｂは、紙押さえ部材２６が第１垂直支軸３２を中心として旋回する旋回動作に伴い、第２媒体ガイド面２２の開口部２２ｅを介して小切手収納部分１０ａ内に進退可能となっている。
【００３５】
開閉レバー２７は、傾斜ガイド面部分２２ｂと紙押さえ部材２６との間に配置された第２垂直支軸３３を中心として、水平方向に旋回可能に取り付けられている。開閉レバー２７は、小切手送り出し口２３ａ側（図５における右側）に向かって延びている前端部２７ａを小切手送り出し通路２３内に進出させる旋回方向（図５における時計回り方向）に、第２垂直支軸３３に取り付けられたねじりばね２８（ばね部材）のばね力によって付勢されている。開閉レバー２７の後端部２７ｂは、このばね力によって紙押さえ部材２６側に付勢され、膨出部２６ｂにおける第１垂直支軸３２側の角部に形成された凹部２６ｃに当接した位置で止まっている。
【００３６】
図５（ａ）は、膨出部２６ｂが小切手収納部分１０ａ内に突出している紙押さえ部材２６の押し付け位置Ａ１、および、前端部２７ａが送り出し通路２３から退避している開閉レバー２７の開放位置Ｂ１を示している。押し付け位置Ａ１では、第１媒体ガイド面２１から小切手収納部分１０ａに突出している繰り出しローラー２５の外周面２５ａを押圧する位置まで、紙押さえ部材２６の膨出部２６ｂが突出している。この状態では、膨出部２６ｂにおける凹部２６ｃが小切手収納部分１０ａに近づいているので、凹部２６ｃによって押圧されている開閉レバー２７の後端部２７ｂがねじりばね２８のばね力に逆らって小切手収納部分１０ａ側に旋回しており、且つ、前端部２７ａが小切手送り出し通路２３内から退避した開放位置Ｂ１まで移動している。すなわち、開放位置Ｂ１では、開閉レバー２７の前端部２７ａによる小切手送り出し通路２３の閉鎖が解除されている。
【００３７】
図５（ｂ）は、膨出部２６ｂが小切手収納部分１０ａ内から退避している紙押さえ部材２６の退避位置Ａ２、および、前端部２７ａが送り出し通路２３を閉鎖している開閉レバー２７の閉鎖位置Ｂ２を示している。紙押さえ部材２６は、退避位置Ａ２では小切手収納部分１０ａとほぼ平行になっており、膨出部２６ｂおよびその角部に形成された凹部２６ｃが小切手収納部分１０ａから離れている。この状態では、開閉レバー２７は、後端部２７ｂがばね力によって小切手収納部分１０ａから離れた凹部２６ｃに当接する位置まで旋回しており、且つ、前端部２７ａが小切手送り出し通路２３内に進出している閉鎖位置Ｂ２に移動している。開閉レバー２７は、閉鎖位置Ｂ２にあるときには、前端部２７ａの先端のかぎ型に屈曲した部分によって小切手送り出し通路２３を閉鎖している。
【００３８】
本実施形態の小切手送り出し装置９は、小切手挿入部１０に１枚ずつ小切手を挿入して読み取らせることを前提として構成されており、小切手送り出し通路２３には、従来の装置に設けられていたような媒体分離機構が設けられていない。そのため、搬送路５側に深く入り込んだ状態に小切手４がセットされるのを防止するために、開閉レバー２７を設けて小切手送り出し通路２３を閉鎖可能にしている。
【００３９】
（小切手送り出し動作）
図６は、図４の概略フローチャートにおけるステップＳＴ２で行われる小切手の送り出し処理のフローチャートである。図４のステップＳＴ１において小切手４が検出されていない状態のときには、駆動モーター３０は紙押さえ部材２６を退避位置Ａ２まで移動させた状態で駆動停止している。このとき、開閉レバー２７は閉鎖位置Ｂ２で停止しているので、小切手送り出し通路２３の入り口が、開閉レバー２７の前端部２７ａによって閉鎖されている。よって、この状態では、小切手４の先端が開閉レバー２７よりも深く入り込んだ状態にセットされてしまうことがない。
【００４０】
制御部１０１は、小切手検出用センサー１１２が小切手挿入部１０に挿入された小切手４を検出すると、まず、搬送路５に沿って配置した搬送ローラー（図示せず）を回転させるための搬送モーター１８を駆動開始させる（ステップＳＴ２１）。そして、この搬送モーター１８の回転速度が定速になったか否かの判定を行い（ステップＳＴ２２）、この判定を、搬送モーター１８の回転速度が定速になったと判定されるまで繰り返す。そして、搬送モーター１８の回転速度が定速になったと判定したら、駆動モーター３０、３１を駆動開始させる（ステップＳＴ２３）。
【００４１】
ステップＳＴ２３では、制御部１０１は、駆動モーター３１を所定量回転駆動することにより、紙押さえ部材２６を押し付け位置Ａ１まで回転させる。これにより、挿入された小切手４が紙押さえ部材２６の膨出部２６ｂによって繰り出しローラー２５の側に押し付けられる。このとき駆動モーター３０も駆動開始して繰り出しローラー２５が回転開始しているので、当該繰り出しローラー２５に押し付けられた小切手４は、小切手送り出し通路２３側に送り出される。なお、駆動モーター３０の駆動開始タイミングは、紙押さえ部材２６が押し付け位置Ａ１に移動完了したタイミング、あるいは、その後のタイミングであってもよい。
【００４２】
繰り出しローラー２５による小切手４の送り出しが開始されるときには、小切手送り出し通路２３の入り口を前端部２７ａによって閉鎖している開閉レバー２７は、紙押さえ部材２６の押し付け位置Ａ１への回転動作に連動して開放位置Ｂ１に既に移動完了している。よって、繰り出しローラー２５によって送り出される小切手４は開閉レバー２７によって遮られず、小切手送り出し通路２３を通って搬送路５に進入する。
【００４３】
搬送路５に送り込まれた小切手４は、すでに定速回転状態に立ちあがっている搬送モーター１８によって駆動される定速回転状態の搬送ローラーに引き渡され、搬送路５内を定速で搬送される。よって、小切手４は、搬送路５における表面側スキャナー１４、裏面側スキャナー１５および磁気ヘッド１６による各読み取り位置を定速で通過する。
【００４４】
本実施形態では、このように、小切手送り出し通路２３を封鎖する開閉レバー２７を設けたので、小切手４が搬送路５側に深く入り込んだ状態にセットされるのを防止できる。よって、繰り出しローラー２５によって送り出される小切手４の先端が搬送路５の搬送ローラーに到達するまでの時間が想定よりも短くなることを防止でき、搬送ローラーが定速回転になる前に小切手４が搬送ローラーにくわえ込まれて搬送が開始されるのを防止できる。
【００４５】
また、本実施形態では、開閉レバー２７を、繰り出しローラー２５に小切手４を押し付ける紙押さえ部材２６によって押圧して開放位置Ｂ１に駆動し、紙押さえ部材２６が退避位置Ａ２に戻ったときはばね力によって閉鎖位置Ｂ２に戻るように構成したので、１つの動力によって、繰り出しローラー２５への小切手４の押し付けと小切手送り出し通路２３の入り口の開閉を連動させて行うことができる。よって、２つの部材を作動させるための動力を共通化することができ、部品点数の削減および装置コストの削減を図ることができる。
【００４６】
更に、本実施形態では、小切手４が挿入されたことを検出したときには、搬送路５に沿った各位置に設けられた搬送ローラーの駆動源である搬送モーター１８を先に駆動開始させ、搬送モーター１８の回転速度がほぼ定速になった後に小切手送り出し装置９の駆動モーター３０、３１を駆動開始させている。よって、搬送路５に送り込んだ小切手４をすでに定速回転状態になった搬送ローラーに引き渡すことができ、表面側スキャナー１４、裏面側スキャナー１５、磁気ヘッド１６による読み取りを安定して行うことができる。よって、読み取り不良の発生および読み取り精度の低下を防止することができる。
【００４７】
（改変例）
（１）上記構成では、小切手送り出し装置９の紙押さえ部材２６を、繰り出しローラー２５を回転駆動させる駆動モーター３０とは別の駆動モーター３１によって駆動させていたが、駆動モーター３０の駆動力を伝動機構を介して紙押さえ部材２６に伝達し、駆動モーター３０を、繰り出しローラー２５、紙押さえ部材２６および開閉レバー２７の３部材を駆動するための共通の駆動源として用いても良い。
【００４８】
（２）上記構成では、搬送モーター１８の回転速度が定速になったことをロータリーエンコーダーなどのセンサーで検出してから駆動モーター３０、３１を駆動開始させているが、ステップモーターなどの搬送モーター１８では定速回転状態になるまでにかかる立ち上がり時間を予め記憶させておき、この立ち上がり時間が経過してから速やかに駆動モーター３０、３１を駆動開始させるとよい。このようにすれば、搬送モーター１８の回転速度を検出するセンサーを用いる必要がない。また、この場合に、小切手送り出し装置９にセットされた小切手４を、繰り出しローラー２５によって搬送路５内の搬送ローラーへの引き渡し位置まで搬送するための所要時間を考慮して、駆動モーター３０、３１を駆動開始させるタイミングを設定してもよい。例えば、この所要時間を搬送モーター１８の立ち上がり時間から減じた所定時間を予め記憶させておき、搬送モーター１８の駆動開始後、この所定時間が経過してから速やかに駆動モーター３０、３１を駆動開始させるとよい。このようにすれば、読み取り不良や読み取り精度の低下を発生させない範囲で、可能な限り小切手４の処理速度を高速にすることができる。
【産業上の利用可能性】
【００４９】
本発明の媒体送り出し装置は、プリンター、スキャナー、磁気読取装置など小切手処理装置以外のシート状媒体を処理するための装置にも同様に適用可能である。
【符号の説明】
【００５０】
１…小切手処理装置（媒体処理装置）、２…本体ケース、３…蓋ケース、４…小切手（シート状媒体）、５…搬送路、６…上流側搬送路部分、７…湾曲状搬送路部分、８…下流側搬送路部分、９…小切手送り出し装置（媒体送り出し装置）、１０…小切手挿入部（媒体挿入部）、１０ａ…小切手収納部分、１１ａ、１１ｂ…分岐路、１１ｃ…切り替え板、１２、１３…小切手排出部、１４…表面側スキャナー、１５…裏面側スキャナー、１６…磁気ヘッド、１７…印刷機構、１８…搬送モーター、２０…底面、２１…第１媒体ガイド面、２２…第２媒体ガイド面、２２ａ…平行ガイド面部分、２２ｂ…傾斜ガイド面部分、２２ｃ…送り出し側平行ガイド面部分、２２ｅ…開口部、２３…小切手送り出し通路（媒体送り出し通路）、２３ａ…小切手送り出し口、２５…繰り出しローラー、２５ａ…外周面、２６…紙押さえ部材（押し付け部材／レバー部材）、２６ａ…先端部分、２６ｂ…膨出部、２６ｃ…凹部、２７…開閉レバー（開閉部材）、２７ａ…前端部、２７ｂ…後端部、２８…ねじりばね（ばね部材）、３０…駆動モーター、３１…駆動モーター、３２…第１垂直支軸、３３…第２垂直支軸、１０１…制御部、１０２…通信ケーブル、１０３…コンピューターシステム、１０３ａ…表示器、１０３ｂ…操作部、１０５…操作部、１１１…用紙長検出器、１１２…小切手検出用センサー、１１３…ジャム検出器、１１４…印刷検出器、１１５…排出検出器、Ａ１…押し付け位置、Ａ２…退避位置、Ｂ１…開放位置、Ｂ２…閉鎖位置
【図１】
2010195510.tif 000003
【図２】
2010195510.tif 000004
【図３】
2010195510.tif 000005
【図４】
2010195510.tif 000006
【図５】
2010195510.tif 000007
【図６】
2010195510.tif 000008